(57)【特許請求の範囲】
【請求項１】
パチンコ玉の揚送方向に張った単数又は複数の揚送ベルトと、
前記揚送ベルトを揚送方向へ回転駆動するための駆動手段と、
前記搬送ベルトと対向する対向面を備えるガイド部材と、
前記パチンコ玉を揚送方向に案内するために前記ガイド部材の対向面にパチンコ玉１個だけが通過できるように形成した複数の揚送案内路と、
前記揚送案内路各々の内壁と前記揚送案内路各々に受け入れられたパチンコ玉との間に介在する研磨シートと、を備えるパチンコ玉揚送装置において、
前記揚送案内路各々には、前記揚送案内路内を通過するパチンコ玉の入り込みによりパチンコ玉の幅方向往復運動を許容するためのスペースを設けてあり、
前記揚送ベルトの回転駆動に伴う第１の摩擦接触面の摩擦作用により、パチンコ玉を前記研磨シートに回転接触させてパチンコ玉に研磨面を形成しつつ前記揚送案内路に沿って揚送するように構成してあり、
前記揚送ベルトに、前記第１の摩擦接触面とは異なる第２の摩擦接触面を前記パチンコ玉と接触可能な位置に形成し、この第２の摩擦接触面と接触した前記揚送案内路内のパチンコ玉を前記スペース内との間で往復運動させることにより、このパチンコ玉の研磨面の方向を変化させるように構成したことを特徴とするパチンコ玉揚送装置。
【請求項２】
前記揚送ベルトの一方の側面に、長さ方向に延びる断面形状がＶ字形状のＶ字溝を設け、
前記Ｖ字溝の一方の傾斜面は前記第１の摩擦接触面の作用を、このＶ字溝の他方の傾斜面は前記第２の摩擦接触面の作用を、それぞれ果たせるように形成するとともに、
前記対向面に、長さ方向に延びる前記Ｖ字溝の一方の傾斜面との間でパチンコ玉を挟持できる対向傾斜面を形成し、さらに、
前記スペースを前記Ｖ字溝の他方の傾斜面と対向する位置に設けたことを特徴とする請求項１に記載したパチンコ玉揚送装置。
【請求項３】
前記Ｖ字溝の一方の傾斜面が水平面との間につくる角度は、このＶ字溝の他方の傾斜面が水平面との間につくる角度と異なることを特徴とする請求項２に記載したパチンコ玉揚送装置。
【請求項４】
第１の摩擦接触面と対向形斜面、及び、第２の摩擦接触面とスペースを、揚送方向の所定間隔毎に交換して研磨面の方向を変化させるように構成したことを特徴とする請求項３に記載したパチンコ玉揚送装置。
【請求項５】
前記揚送ベルトの一方の側面に、長さ方向に平行に延びる一対の突条を設け、
前記一対の突条の一方に前記第１の摩擦接触面を形成するとともに、この一対の突条の他方に前記第２の摩擦接触面を形成し、
前記対向面に、長さ方向に延びる前記第１の摩擦接触面との間でパチンコ玉を挟持できる対向傾斜面を形成し、さらに、
前記スペースを前記第２の摩擦接触面と対向する位置に設けたことを特徴とする請求項１に記載したパチンコ玉揚送装置。
【発明の詳細な説明】
【０００１】
【発明の属する技術分野】
この発明は、パチンコ遊技場で使用されるパチンコ玉を低いところから高いところへ送るためのものであり、特に、パチンコ玉を研磨しながら揚送するパチンコ玉揚送装置に関するものである。パチンコ玉揚送装置は、パチンコ玉の循環システムを部分的に構成する。
【０００２】
【従来の技術】
これまでのパチンコ揚送装置として、たとえば、特公平３−１９７９２号公報に記載されたもの（以下、「従来の揚送装置」という）がある。従来の揚送装置を図７に基づいて説明する。図７は、揚送ベルトとガイド部材の水平方向の断面図を上から見た図である。従来の揚送装置は、パチンコの揚送方向すなわち上下方向（紙面の裏側から表側方向）に延びる揚送ベルト１００と、この揚送ベルト１００と平行に上下方向に延びるガイド部材１０４から概ね構成されている。揚送ベルト１００の一方の側面に形成した摩擦接触面１０２との間でパチンコ玉を挟持するための対向面１０６がガイド部材１０４に設けられ、この挟持したパチンコ玉を揚送方向に案内するための複数の揚送案内路１０８，．．が対向面１０６設けられ、さらに、パチンコ玉を研磨するための研磨シートが１１０設けられている。この研磨シート１１０は、挟持したパチンコ玉とガイド部材１０４の対向面１０６の間に張力がかかった状態で介在し、このパチンコ玉から受ける押圧により揚送案内路１０８，．．内でフレキシブルに変形するようになっている。揚送ベルト１００の回転駆動に伴う摩擦接触面１０２の摩擦作用により、挟持したパチンコ玉を研磨シート１１０に回転接触させて研磨面（後述）を形成しつつ揚送案内路１０８，．．に沿って揚送するように構成されている。図８に示すように揚送ベルト１００が紙面の裏側から表側の方向に回転すると、摩擦接触面１０２の摩擦作用が作用してパチンコ玉Ｐが矢印Ａの方向に回転する。この回転に伴って、パチンコ玉Ｐは研磨シート１１０に回転接触（回転しながら接触すること）して研磨される。
【０００３】
【発明が解決しようとする課題】
しかしながら、従来の揚送装置は、次の点で改良の余地があった。図８を参照しながら、説明を続ける。摩擦接触面１０２とパチンコ玉Ｐとの接触は、接触点１０１における点接触であって、この接触によりパチンコ玉Ｐに加えられる回転の方向は、矢印Ａで示す方向以外にない。このため、研磨シートとの回転接触により研磨されるパチンコ玉Ｐの表面は、Ｐｃで示す部分だけであって、斜線で示す側方部分Ｐｄ，Ｐｄには汚れが付着したままである。これでは、汚れたパチンコ玉を研磨するという目的を完全に果たしたことにはならず、このような汚れたままのパチンコ玉が循環システムの中を移動すると、汚れによる目詰まりや思わぬ故障の原因を引き起こしかねない。さらに、汚れたパチンコ玉を手にした遊技客が、手や衣服を汚し、これが遊技場への苦情の基になることも考えられる。本発明が解決しようとする課題は、揚送中のパチンコ玉の研磨をできるだけ効率のよいものにすることにある。
【０００４】
【課題を解決するための手段】
上述した課題を解決するために鋭意研究を重ねた発明者は、汚れが残る原因、すなわち研磨されない部分が発生する原因は、パチンコ玉の回転方向Ａが一定だからであることにまず着目した。パチンコ玉の回転は、揚送ベルトの回転により与えられるものであるから、この揚送ベルトの回転方向を変化させることができればパチンコ玉の回転方向Ａをも変化させられることは当然のことである。しかし、この揚送ベルトの回転方向を変えることは、技術的には可能でも複雑な駆動手段を必要とするなどの理由から到底実現できることではない。そこで、考えついたのが、揚送ベルトが加えるこれまでの摩擦力と別の摩擦力又は機械的な衝撃をこの揚送ベルトにより揚送中のパチンコ玉に与え、これにより、これまでの回転方向Ａとは異なる方向にパチンコ玉を回転させる、という方法である。異なる方向に回転させれば、まず、これまでの方向による研磨面Ｐｃを研磨し、次いでその回転方向を変化させればＰｄ，Ｐｄの部分をも研磨シート１１０に回転接触させることができるからである。本発明は、このような観点からなされたものである。その構成については、項を改めて説明する。
【０００５】
請求項１に記載した発明の構成
請求項１に記載した発明に係るパチンコ玉揚送装置（以下、「請求項１のパチンコ玉揚送装置」という）は、パチンコ玉の揚送方向に張った単数又は複数の揚送ベルトと、前記揚送ベルトを揚送方向へ回転駆動するための駆動手段と、前記搬送ベルトと対向する対向面を備えるガイド部材と、前記パチンコ玉を揚送方向に案内するために前記ガイド部材の対向面にパチンコ玉１個だけが通過できるように形成した複数の揚送案内路と、前記揚送案内路各々の内壁と前記揚送案内路各々に受け入れられたパチンコ玉との間に介在する研磨シートと、を備える点において、先に説明した従来の揚送装置と同じ構成である。
【０００６】
このパチンコ玉揚送装置の最大の特徴は、  前記揚送案内路各々には、前記揚送案内路内を通過するパチンコ玉の入り込みによりパチンコ玉の幅方向往復運動を許容するためのスペース（逃げ溝）を設けてあり、前記揚送ベルトの回転駆動に伴う第１の摩擦接触面の摩擦作用により、パチンコ玉を前記研磨シートに回転接触させてパチンコ玉に研磨面を形成しつつ前記揚送案内路に沿って揚送するように構成してあり、前記揚送ベルトに、前記第１の摩擦接触面とは異なる第２の摩擦接触面を前記パチンコ玉と接触可能な位置に形成し、この第２の摩擦接触面と接触した前記揚送案内路内のパチンコ玉を前記スペース内との間で往復運動させることにより、このパチンコ玉の研磨面の方向を変化させるように構成したことにある。なお、「第１の摩擦接触面」と「第２の摩擦接触面」とは、次に述べる作用を奏するあらゆる形態のものを意味し、そのようなものとして、揚送ベルトの一方の側面に形成した溝や突起や突状等が持つパチンコ玉と接触しうるあらゆる面が例として挙げられる。何れの接触面も平面状である必要は必ずしもない。平面を組み合わせたものや曲面のもの、また、表面に凹凸を設けて摩擦係数を高くしたもの等も、この第１及び第２の摩擦接触面に該当する。
【０００７】
請求項１に記載した発明の作用
請求項１のパチンコ玉揚送装置は、駆動手段により回転駆動される揚送ベルトの第１の摩擦接触面と、研磨シートを介してガイド部材の対向面との間に挟持したパチンコ玉を回転させつつ揚送案内路に沿って揚送する。研磨シートは、回転接触したパチンコ玉の表面を研磨して研磨面を形成する。このとき、研磨シートにかかっている張力は、パチンコ玉から受ける押圧に反発しつつも、そのフレキシブルな性質により揚送案内路やパチンコ玉の形状等に合わせて変形する。この反発力は、パチンコ玉の表面に研磨シートを押し付けるように働くとともに、パチンコ玉が通過してその押圧を受けなくなったときに研磨シートを元に戻す作用も生じさせる。ここで、第２の摩擦接触面がパチンコ玉に摩擦力（機械的衝撃）を与える。この摩擦力は第１の摩擦接触面から受ける摩擦力とともに合力を形成し、この合力を受けたパチンコ玉は、第１の摩擦接触面による回転方向とは異なる方向に回転しつつ、スペース（逃げ溝）内を移動する。移動したパチンコ玉は、揚送案内路の内壁の衝突等により跳ね返されて元の位置に戻る。これが繰り返され往復運動する度にパチンコ玉の研磨面の方向が変化し、やがて、パチンコ玉の表面全体が研磨される。
【０００８】
請求項２に記載した発明の構成
請求項２に記載した発明に係るパチンコ玉揚送装置（以下、「請求項２のパチンコ玉揚送装置」という）は、請求項１の揚送装置の構成に限定を加えたものであって、揚送ベルトの一方の側面に、長さ方向に延びる断面形状がＶ字形状のＶ字溝を設け、Ｖ字溝の一方の傾斜面は第１の摩擦接触面の作用を、このＶ字溝の他方の傾斜面は第２の摩擦接触面の作用を、それぞれ果たせるように形成するとともに、対向面に、長さ方向に延びる前記Ｖ字溝の一方の傾斜面との間でパチンコ玉を挟持できる対向傾斜面を形成し、さらに、スペースをＶ字溝の他方の傾斜面と対向する位置に設けた、という構成になっている。なお、本明細書における「Ｖ字形状」とは、アルファベットのＶ字のように一方と他方の傾斜面を含む形状のことを意味し、このようなものであれば、たとえば、Ｕ字形状や上向きの片仮名コの字を変形して傾斜面を持たせたもの等もこの形状に該当する。左右が対称でないものもこの形状に該当することは、言うまでもない。
【０００９】
請求項２に記載した発明の作用
請求項２のパチンコ玉の揚送装置の作用は、パチンコ玉を研磨しながら揚送する点で、請求項１のパチンコ玉の揚送装置の作用と基本的に同じである。すなわち、Ｖ字溝の一方の傾斜面と対向傾斜面の間に挟持したパチンコ玉に前者が摩擦力を作用させ、後者に合わせて変形した研磨シートとの回転接触によりそのパチンコ玉の表面を研磨する。このパチンコ玉は、Ｖ字溝の他方の傾斜面から受けた摩擦力により対向位置（向かいあった位置）にあるスペース内を往復運動しながら、研磨面の方向を変化させる。
【００１０】
請求項３に記載した発明の構成
請求項３に記載した発明に係るパチンコ玉揚送装置（以下、「請求項３のパチンコ玉揚送装置」という）は、請求項２のパチンコ玉揚送装置の構成に限定を加えたものであって、Ｖ字溝の一方の傾斜面が水平面との間につくる角度は、このＶ字溝の他方の傾斜面が水平面との間につくる角度と異なる、という構成を有している。すなわち、左右対称とせずに、一方の傾斜面が水平面との間につくる角度が他方の傾斜面がつくる角度より大きく（小さく）形成した。
【００１１】
請求項３に記載した発明の作用
請求項３のパチンコ玉揚送装置の作用は、請求項２のパチンコ玉揚送装置の作用に加え、一方の傾斜面からパチンコ玉に加える摩擦力の方向と、他方の傾斜面から加える摩擦力の方向を異ならせることにより、両方向が等しい場合に比べて挟持したパチンコ玉のバランスを崩し易くし、これによりスペース内との間の往復運動を促進する。往復運動が活発になれば、その分だけより頻繁に研磨面の方向が変化する。
【００１２】
請求項４に記載した発明の構成
請求項４に記載した発明に係るパチンコ玉揚送装置（以下、「請求項４のパチンコ玉揚送装置」という）は、請求項３のパチンコ玉揚送装置の構成に限定を加えたものであって、第１の摩擦接触面と対向形斜面、及び、第２の摩擦接触面とを、揚送方向の所定間隔毎に交換して研磨面の方向を変化させるように構成した。なお、ここで「所定間隔毎に交換」は、一定またはランダムな間隔毎に入れ替えることを意味し、具体的には、揚送ベルトのある位置において第１の摩擦接触面が左側にあるとしたときに、これを所定の間隔だけ続け、その後、第１の摩擦接触面を右側に配してこれまで右側にあった第２の摩擦接触面を左側に配し、これを所定の間隔だけ続けた後、元の位置に戻すことをいう。
【００１３】
請求項４に記載した発明の作用
請求項４のパチンコ玉揚送装置の作用は、請求項３のパチンコ玉揚送装置の作用に加え、パチンコ玉が受ける摩擦力がこれまで一方からのものであったものが、交換により他方から受けることになるので、これにより、交換毎に研磨面の方向が変化する。
【００１４】
請求項５に記載した発咀の構成
請求項５に記載した発明に係るパチンコ玉揚送装置（以下、「請求項５のパチンコ玉揚送装置」という）は、請求項１のパチンコ玉揚送装置の構成に限定を加えたものであって、揚送ベルトの一方の側面に、長さ方向に平行に延びる一対の突条を設け、この一対の突条の一方に第１の摩擦接触面を形成するとともに、この一対の突条の他方に第２の摩擦接触面を形成し、ガイド部材の対向面に、長さ方向に延びる第１の摩擦接触面との間でパチンコ玉を挟持できる対向傾斜面を形成し、さらに、スペースを第２の摩擦接触面と対向する位置に設けた、という構成を有している。なお、ここで「突条」は、第１の傾斜面（第２の傾斜面）を形成できるものであればどのようなものでもよく、揚送ベルトと一体に形成したものでも別体であったものを一体化させたものでもよい。
【００１５】
請求項５に記載した発明の作用
請求項５のパチンコ玉揚送装置は、パチンコ玉を研磨しながら揚送する点で、請求項１のパチンコ玉の揚送装置の作用と基本的に同じである。すなわち、突条の一方に形成した第１の摩擦接触面と対向傾斜面の間に挟持したパチンコ玉に前者が摩擦力を作用させ、後者に合わせて変形した研磨シートとの回転接触によりそのパチンコ玉の表面を研磨する。このパチンコ玉は、突条の他方に形成した第２の摩擦接触面から受けた摩擦力により対向位置（向かいあった位置）にあるスペース内との間を往復運動しながら、研磨面の方向を変化させる。
【００１６】
【発明の実施の形態】
次に、本発明の実施の形態（以下、「本実施形態」という）を、各図に基づいて説明する。図１はパチンコ揚送装置の構造を示すために、一部を切り欠いた概略図であり、図２の（１）及び（２）は図１のＩ−Ｉ断面を矢印方向から見た図である。図３は、パチンコ玉の表面に研磨面が形成される過程を示す概略図である。図４及び５は、本実施形態の変形例を示す図である。図６は、本実施形態及び変形例の応用例を示す概略図である。
【００１７】
全体構造
図１において符号１は、パチンコ玉を上方に設置した貯留タンク５２へ揚送するためのパチンコ揚送装置を示しており、このパチンコ揚送装置１の各部材は、理解を助けるために誇張して描いてある。パチンコ揚送装置１は、揚送方向（縦方向）に延びるガイド部材３と、揚送するパチンコ玉を研磨するための研磨シート４と、揚送方向に張った無端の揚送ベルト５を備えている。ガイド部材３をガイド支持板６により、揚送ベルト５をベルト支持板７により、それぞれ支持させ、両者を、ヒンジ１４により開いたり閉じたりできるように構成している。揚送ベルト５は、下端の駆動モータ（駆動手段）８と上端の従動プーリ９の間に張ってあり、前者の働きにより図１に示す方向に回転駆動するようになっている。部材の保守交換や清掃等が必要な場合は、支持板７を開いて行なう。
【００１８】
揚送ベルト
図２の（１）及び（２）に基づいて、揚送ベルトについて説明する。本実施形態における揚送ベルト５は、パチンコ玉Ｐを１個だけ揚送可能な幅を持つゴム製単ベルトであり、本実施形態は、平行に並んだ複数の揚送ベルト５...を備えている。ここでは、説明の便宜上、１個の単ベルトについて説明する。揚送ベルト５は、図２に示すように、断面形状がＶ字状のＶ字溝１１を備えている。Ｖ字溝１１は、パチンコ玉Ｐと接触する第１の摩擦接触面１２と第２の摩擦接触面１３を備えており、前者が水平面との間につくる角度Θ１は、後者が水平面との間につくる角度Θ２よりも大きく形成している（請求項１乃至３）。これは、図２（１）に示すパチンコ玉Ｐのバランスを崩して第２の傾斜面１３側に偏らせ、これにより、パチンコ玉Ｐが第２の傾斜面１３から受ける摩擦力の影響をできるだけ大きくしようとしたものである。本発明者の実験によれば、角度Θ１を約２５度とし角度Θ２を約２０度としたときに、良好な結果を得た。これらの角度は、揚送ベルト５の材質や両摩擦接触面の処理状態等に応じて適宜変更することができ、また、必要がなければ角度Θ１と角度Θ２を等しくすることもできる（請求項１及び２）。なお、本実施形態において揚送ベルト５にＶ字溝１１を形成するようにしたのは、この構造が比較的シンプルであり、揚送ベルトの加工が容易だからである。また、複数の単ベルトの代わりに、平ベルトに複数のＶ字溝を並べて形成してもよい。
【００１９】
ガイド部材
図２の（１）及び（２）を引き続き参照しながら、ガイド部材３について説明する。ガイド部材３は、パチンコ玉Ｐの動きに柔軟に対応させ、第１の摩擦接触面との間で確実に挟持し摩擦力を作用させるために、弾性素材により構成することが好ましい。ガイド部材３の揚送ベルト５と対向する対向面３２は、パチンコ玉Ｐが１個だけ通過できる幅を持った揚送案内路３３を、その全長にわたって備えている。揚送案内路３３の内壁は、揚送ベルト５の第１の摩擦接触面１２と平行な対向傾斜面３４と、パチンコ玉Ｐの幅方向への移動を許容するためのスペース３５を備えている。対向傾斜面３４は、第１の摩擦接触面１２との間でパチンコ玉Ｐを挟持し、このパチンコ玉Ｐと対向傾斜面３４の間に介在させた研磨シート４により、これを研磨してその表面に研磨面を形成するように構成している。したがって、対向傾斜面３４と第１の摩擦接触面１２との距離を、これらの二者とガイド部材３とが持つ弾性とともに研磨シート４が持つ厚みと弾性を考慮し、必要かつ十分な挟持力をパチンコ玉Ｐに与えられるように決定する。距離が長すぎて挟持力が弱いと揚送すべきパチンコ玉Ｐが滑り落ちてしまうし、逆に距離が短すぎると挟持力が強すぎて揚送効率を悪くしてしまうからである。
【００２０】
研磨シート
本実施形態における研磨シート４は、丈夫な帆布を使用しており、その上端と下端とを引っ張って張力をかけた状態で固定し、ガイド部材３とパチンコ玉Ｐの間に介在させている。この張力は、上述した固定方法により生じるものの他、研磨シート４自体が有する伸縮力により生じるものでもよいし、両者が合わさって生じるものでもよい。なお、研磨シート４は、回転するパチンコ玉Ｐと接触してその表面を研磨する際に、容易に摩耗したり破れたりしない素材であればどのようなものでもよく、そのようなものとして、たとえば、帆布以外の布や紙、不織布、繊維シート等がある。
【００２１】
スペース
揚送案内路３３内に形成したスペース３５は、先に説明したようにパチンコ玉Ｐの幅方向の移動を許容するためのものであり、その目的の範囲内であれば、その形状は問わない。スペース３５は、第２の摩擦接触面１３と対向する位置に形成し、後述するように第２の摩擦接触面１３により弾かれたパチンコ玉Ｐが入り込めるようにしている。本実施形態においては、スペース３５の内壁３６をパチンコ玉Ｐの球面に近似した形状に形成し、研磨シート４がパチンコ玉Ｐに押圧されたときにその表面との接触面積をできるだけ大きくして研磨効率の向上を図っている。
【００２２】
本実施形態の作用
図２及び３を参照しながら、本実施形態の作用について説明する。矢印ａは、パチンコ玉の回転方向を示している。矢印ｂは第２の摩擦接触面１２の挟持力と摩擦力の合力を、矢印ｃは対向傾斜面１４の挾持力を、矢印ｄは第２の摩擦接触面の摩擦力を、それぞれ擬似的に表したものである。矢印ｅは、第２の摩擦接触面１３の働きによるパチンコ玉Ｐの移動方向を、擬似的に表したものである。実際にパチンコ玉Ｐに作用する力は、各矢印でしめすものより複雑であるが、説明を簡略化するためにこのような表記を行っている。
【００２３】
まず、揚送ベルト５を、駆動手段８が回転駆動する。このように回転駆動される揚送ベルト５の第１の摩擦接触面１３と、研磨シート４を介してガイド部材３の対向面３２との間に挟持したパチンコ玉Ｐを矢印ａ方向に回転させつつ揚送案内路３３に沿って揚送する。図２における揚送方向は、紙面の裏側から表側方向である。図３（１）に示すように研磨シート４は、まず、回転接触したパチンコ玉Ｐの表面を研磨して研磨面Ｐ１を形成する。次いで、研磨シート４は、図３（２）に示すように、第１の摩擦接触面１２と対向傾斜面３４の挟持力を受けながら矢印ｅ方向にスペース３５内との間を往復運動するパチンコ玉Ｐの表面に、研磨面Ｐ２を形成する。パチンコ玉Ｐの往復運動は、第２の摩擦接触面１３とスペース３５（内壁３６）の作用により行われる。図２（１）は第２の摩擦接触面１３の作用を受けている状態のパチンコ玉Ｐを、同図（２）はスペース３５内へ移動した状態のパチンコ玉Ｐを、それぞれ示している。さらに、矢印ｅ方向に往復運動したパチンコ玉Ｐは、その表面に図３（３）に示す研磨面Ｐ３を形成される。その後、矢印ｅ方向に往復運動したパチンコ玉Ｐは、図３（４）に示すように、その表面に研磨面Ｐ４が形成される。この一連の作用を受けた結果、汚れが付着している部分Ｐｄの面積が段々小さくなり、やがて、パチンコ玉Ｐの全面が研磨面で覆われてきれいになる。
【００２４】
変形例
図４及び５に基づいて、本実施形態の変形例について説明する（請求項５）。図４に示すのは、本実施形態において形成したＶ字溝１１の代わりに、平ベルト４０の上面の長さ方向に延びる一対の突状（突出した道筋）４２，４６を形成し、突状４２に第１の摩擦接触面４４を、突状４６に第２の摩擦接触面４６を、それぞれ形成したものである。一方、図５に示すのは、上記突状４４，４６の代わりに、これらと断面形状が異なる突状５２，５６を平ベルト５０の上面に形成したものである。とる状５２第１の摩擦接触面５４を、突状５６に第２の摩擦接触面５８を、それぞれ形成したものである。両変形例の作用は、基本的に本実施形態の作用と異なるものではない。
【００２５】
応用例
図６に基づいて、本実施形態及び変形例の応用例について説明する（請求項４）。この応用例においては、第１の摩擦接触面１２（４４，５４）と対向形斜面３４、及び、第２の摩擦接触面１３（４６，５６）とスペース３５を、揚送方向の所定間隔毎に交換して研磨面の方向を変化させるように構成した。このように構成すれば、パチンコ玉Ｐが受ける摩擦力がこれまで一方からのものであったものが、交換により他方から受けることになるので、これにより、交換毎に研磨面の方向を変化させて効率よくパチンコ玉の表面を研磨することができる。なお、ここで「所定間隔」は、研磨効率を高めるために、少なくともパチンコ玉Ｐの外周より長い間隔であることが好ましい。本実施形態においては、図６に示すようにこの間隔毎に定期的入れ替えている。
【００２６】
【発明の効果】
請求項１のパチンコ玉揚送装置を使用すると、揚送中にパチンコ玉の表面の汚れを効率よく落とすことができる。また、請求項２のパチンコ玉揚送装置を使用すると、請求項１のものの効果に加え、その構造が比較的シンプルであり、揚送ベルトの加工が容易である、という効果が得られる。請求項３のパチンコ揚送装置を使用すると、請求項１のものの効果に加え、パチンコ玉のバランスを崩し易くした結果、このパチンコ玉のスペース内での往復運動を促進する、という効果が得られる。請求項４のパチンコ玉揚送装置を使用すると、請求項３のものの効果に加え、パチンコ玉が受ける摩擦力がこれまで一方からのものであったものが、交換により他方から受けることになるので、これにより、交換毎に研磨面の方向が変化させることができる。最後に、請求項５のパチンコ玉揚送装置を使用すると、構造は異なるが請求項１のものと同様な効果を得られる。
【図面の簡単な説明】
【図１】  パチンコ揚送装置の構造を示すために一部を切り欠いた概略図である。
【図２】  （１）及び（２）は図１のＩ−Ｉ断面を矢印方向から見た図である。
【図３】  パチンコ玉の表面に研磨面が形成される過程を示す概略図である。
【図４】  本実施形態の変形例を示す図である。
【図５】  本実施形態の変形例を示す図である。
【図６】  本実施形態及び変形例の応用例を示す概略図である。
【図７】  従来の揚送ベルトとガイド部材の水平方向の断面図である。
【図８】  従来の揚送装置による研磨作用を説明する図である。
【符号の説明】
３    ガイド部材
４    研磨シート
５    揚送ベルト
８    駆動手段
１１    Ｖ字溝
１２    第１の摩擦接触面
１３    第２の摩擦接触面
３３    揚送案内路
３４    対向傾斜面
３５    スペース（逃げ溝）
【図１】
0004244241.tif 000002
【図２】
0004244241.tif 000003
【図３】
0004244241.tif 000004
【図４】
0004244241.tif 000005
【図５】
0004244241.tif 000006
【図６】
0004244241.tif 000007
【図７】
0004244241.tif 000008
【図８】
0004244241.tif 000009